(57)【要約】【課題】簡易な構成で被清掃面の両面を同時かつ確実に清掃し得る清掃装置を提供する。【解決手段】従動側清掃体２０の磁石２８は、駆動側清掃体１２の回転中心から所定間隔で配置される磁石１７に対応して配置される。即ち、従動側清掃体２０は、磁石１７及び２８同士の吸引力にむらが生じることなく、駆動側清掃体１２の従動が確実である。また、従動側清掃体２０は被清掃面Ｗ２に対向する対向面に刃部材３８及び複数本の毛先が補強された補強部を有する合成樹脂の清掃部材２４を備える。即ち、従動側清掃体２０は、タワシ等に比べて毛先が強靭な補強部及び刃部材３８で被清掃面Ｗ２の苔などを確実に擦り落としできる。【選択図】図１
0003197467.tif 000002
【実用新案登録請求の範囲】
【請求項１】
駆動手段の駆動力に基づき回転して被清掃面を清掃する駆動側清掃体と、この駆動側清掃体の回転に従動して被清掃面を清掃する従動側清掃体とからなる清掃装置において、
上記駆動側清掃体および上記従動側清掃体の少なくとも一方には、上記清掃体の先端と同一または突出するよう配置され且つ被清掃面に対し面接触するよう上記駆動側清掃体または上記従動側清掃体の径方向に沿う刃部材を備えることを特徴とする清掃装置。
【請求項２】
駆動手段の駆動力に基づき回転して被清掃面を清掃する駆動側清掃体と、この駆動側清掃体の回転に従動して被清掃面を清掃する従動側清掃体とからなる清掃装置において、
上記駆動側清掃体は、その回転中心から所定間隔で配置される磁石と、上記駆動手段を連結する連結部と、被清掃面に対向させる対向面に配置される清掃部材とを備え、上記従動側清掃体は、上記駆動側清掃体の磁石に対応して配置される磁石と、被清掃面に対向する対向面に複数本の毛先が補強された補強部を有する合成樹脂の清掃部材と、上記補強部の毛先と同一または突出するよう配置され且つ被清掃面に対し面接触するよう上記従動側清掃体の径方向に沿う刃部材と、を備えることを特徴とする清掃装置。
【請求項３】
請求項１又は請求項２に記載の清掃装置において、上記刃部材を上記清掃体に対して着脱可能に配置することを特徴とする清掃装置。
【考案の詳細な説明】
【技術分野】
【０００１】
本考案は、例えば熱帯魚などの飼育・観賞に用いる水槽の両面を挟み、同時に清掃し得る清掃装置に関するものである。
【背景技術】
【０００２】
特許文献１には、一対の清掃板間に働く磁力を強弱調節することができ、且つ洗浄液を伴う払拭動作と洗浄液の除去を伴う払拭動作を被清掃面に同時に加えることができる清掃器具が、開示されている（段落番号「０００６」参照）。即ち、モータで駆動される駆動側清掃板と従動側清掃板の夫々は、ガラス面への当接部を備えた支承体と、該支承体に回転自在に設けられた回転盤とを有する。これらの回転盤には、払拭部材と磁石板とが設けられている（要約の「解決手段」欄及び図１参照）。
【０００３】
また、特許文献２は、外側部品が水槽外壁面上自走し、これに磁気的に対向吸着される内側部品で水槽内壁面を清掃させるタイプの清掃装置である。具体的には、水槽の壁を挟んで外側部品と内側部品が磁気的に対向吸着される水槽内壁面清掃装置である。外側部品は、水槽外壁面上自走のための駆動体と、水槽外壁面に当接する複数のボールを備える。内側部品は、水槽内壁面を擦る清掃部材と、重心から外れた位置に水中スクリューを備える（要約「解決手段」欄及び図１乃至図３参照）。
【先行技術文献】
【特許文献】
【０００４】
【特許文献１】特開平９−２２４８８１号公報
【特許文献２】特開平２０１１−５０３０２号公報
【考案の概要】
【考案が解決しようとする課題】
【０００５】
ところで、特許文献１の清掃器具は、その払拭部材として、フェルト状物、織布、皮革、ブラシ、スポンジなどが用いられる。特許文献１の払拭部材は、フェルト状素材や連続気孔を有するスポンジ状物などから成るパッドと、三日月状或いは鎌刃状の断面によってできる掬い角を持つゴム弾性素材から成るワイパーとの組み合わせである。そして、先ず洗浄液を含んだパッドは汚れを浮かし、次にその汚れをワイパーは洗浄液と一緒にすくい取り、引続きそのすくい取った汚れは遠心力によりワイパーの湾曲面に沿って移動させ飛散させる（段落番号「００１１」参照）。
【０００６】
また、特許文献１の清掃器具には、その移動軸の他端付近に刻設した雄ネジ部に、磁石位置調節用の磁力調節ネジを螺合し、支承体が中空軸を回転自在に支持している（要約の「解決手段」欄及び図１参照）。なお、特許文献１の清掃器具は、窓ガラス等の板状物の両面を同時に清掃し得る清掃器具に関するものである（段落番号「０００１」参照）。即ち、特許文献１の清掃器具は、その払拭部材などを特殊加工を施しており、且つ従動側清掃板を水中で用いる構成とはしてない。従って、特許文献１の清掃器具は、その構成が複雑であり、高価となる。
【０００７】
特許文献２の清掃装置は、その内側部品の水槽側の面にスポンジ（清掃部材）が取り付けられており、該スポンジによって水槽内壁面を擦ることができるようになっている。また、スポンジは、ボール及び中央部材を避けて形作られており、上記ボールによる走行円滑化の効果を妨げない（段落番号「００３８」及び図１ｂ参照）。そして、水槽の壁を挟んで外側部品を外側、内側部品を内側にして対向させ、ネオジウム磁石の磁気的吸引力で両者を対向吸着させる（段落番号「００４１」及び図２参照）。
【０００８】
次に、外側部品の駆動体及び内側部品の水中スクリューを駆動させる。内側部品においては、水中スクリューによって外周部材が回転し、これに伴ってスポンジが回転して水槽内壁面の苔等を擦り落とす。また、駆動体により外側部品が水槽外壁面上を自走し、これに伴って、磁気吸引された内側部品が水槽内壁面上を走行する（段落番号「００４２」及び図３参照）。即ち、特許文献２の自走式清掃装置は、本考案の清掃装置とは駆動方式が異なる。更に、特許文献１及び２において、これらのスポンジ等では例えば時間経過で強固に水槽内壁面に付着した苔等を擦り落とすことが困難な場合がある。
【０００９】
本考案の目的は、簡易な構成で被清掃面の両面を同時かつ確実に清掃し得る清掃装置を提供することにある。
【課題を解決するための手段】
【００１０】
本考案の清掃装置は、本考案の清掃装置は、駆動手段の駆動力に基づき回転して被清掃面を清掃する駆動側清掃体と、この駆動側清掃体の回転に従動して被清掃面を清掃する従動側清掃体とからなる清掃装置において、上記駆動側清掃体は、その回転中心から所定間隔で配置される磁石と、上記駆動手段を連結する連結部と、被清掃面に対向させる対向面に配置される清掃部材とを備え、上記従動側清掃体は、上記駆動側清掃体の磁石に対応して配置される磁石と、被清掃面に対向する対向面に複数本の毛先が補強された補強部を有する合成樹脂の清掃部材と、上記補強部の毛先と同一または突出するよう配置され且つ被清掃面に対し面接触するよう上記従動側清掃体の径方向に沿う刃部材と、を備えることを特徴とする。
【００１１】
また、駆動手段の駆動力に基づき回転して被清掃面を清掃する駆動側清掃体と、この駆動側清掃体の回転に従動して被清掃面を清掃する従動側清掃体とからなる清掃装置において、上記駆動側清掃体および上記従動側清掃体の少なくとも一方には、上記清掃体の先端と同一または突出するよう配置され且つ被清掃面に対し面接触するよう上記駆動側清掃体または上記従動側清掃体の径方向に沿う刃部材を備えることを特徴とする。更に、本考案の清掃装置は、上述した各清掃装置において、上記刃部材を上記清掃体に対して着脱可能に配置するようにしても良い。
【考案の効果】
【００１２】
本考案によれば、刃部材が水槽内の被清掃面に面接触している状態で回転運動するので、当たりが均一となり、水槽を傷つけることなく例えば時間経過で強固に水槽壁面に付着した苔等を確実に擦り落とすことができる。なお、本考案では、両清掃体の清掃部材をループ毛または樹立毛とする場合、たとえ両清掃体の磁石同士の磁気的吸引力が強すぎても、両被清掃面上を円滑に走行し得、簡易な構成で被清掃面の両面を同時に清掃でき且つ操作性も良好となる。
【００１３】
また、本考案によれば、従動側清掃体の磁石が駆動側清掃体の回転中心から所定間隔で配置される磁石に対応して配置されるので、従動側清掃体は磁石同士の吸引力にむらが生じることなく、駆動側清掃体の従動が確実かつ円滑となる。更に、本考案によれば、従動側清掃体は被清掃面に対向する対向面に例えば刃部材及び複数本の毛先が補強された補強部を有する合成樹脂の清掃部材を備える場合、従動側清掃体がタワシ等に比べて毛先が強靭な補強部及び刃部材で被清掃面の苔などを確実に擦り落とし得る。
【図面の簡単な説明】
【００１４】
【図１】本実施例に係る清掃装置を示す断面図である。
【図２】図１に示す駆動側清掃体の正面図である。
【図３】図２の３−３線断面図である。
【図４】図３のループ毛に関する端面図である。
【図５】図１に示す従動側清掃体の正面図である。
【図６】図５の６−６線断面図である。
【図７】図６の樹立毛に関する端面図である。
【考案を実施するための形態】
【００１５】
以下、本考案を実施するための形態について、具体化した一実施例を説明する。
【実施例１】
【００１６】
以下、図１乃至図７に基づいて、本考案の一実施例である清掃装置について説明する。ここで、清掃装置を駆動（回転）させる駆動手段は、市販されているハンディタイプの電動モータであり、その駆動手段である出力軸Ｓ（図１の一点鎖線参照）が連結軸アダプタ３６を介して後述する連結孔１３Ａに連結される。なお、連結部となる連結孔１３Ａ・連結軸アダプタ１６・出力軸Ｓは、それぞれ角柱状となっている。
【００１７】
図１に示すように、清掃装置１０は、駆動側清掃体１２及び従動側清掃体（以下、両者を「清掃体」ともいう）２０を備え、これらの外形は円盤状となっている。即ち、清掃装置１０は、一対の清掃体１２及び２０で例えば熱帯魚などの飼育・観賞に用いる水槽Ｗの被清掃面である両面Ｗ１及びＷ２（図１の１点鎖線参照）を清掃するタイプである。
【００１８】
（駆動側清掃体に関する構成）
駆動側清掃体１２は、図示しない駆動手段の駆動力（回転力）に基づき回転して被清掃面Ｗ１を清掃する。この清掃体１２は、アクリル等の合成樹脂製の筐体１３及びその筐体１３の開放口を閉止する蓋体１４を備える（図３参照）。これらの筐体１３及び蓋体１４は、硬質の合成樹脂製で、それぞれ一体成型される。また、図１乃至図３に示すように、筐体１３にはその中心に六角状の孔１３Ａ、蓋体１４にはその中心に孔１３Ａよりも径大な真円の孔１４Ａがそれぞれ形成されている。
【００１９】
孔１３Ａに着脱可能に装着される連結軸アダプタ３６（図１の２点鎖線参照）は、金属製の６角柱となっている。なお、連結部の一部を構成する孔１３Ａは、連結軸アダプタ３６よりも若干径大となっており、連結軸アダプタ３６が孔１３Ａ内に挿入される。そして、出力軸Ｓ（図１の１点鎖線参照）が挿入された連結軸アダプタ３６は、筐体１３（すなわち清掃体１２）へ連結される。図１及び図２の破線に示すように、筐体１３には、その裏面に複数（本例では４個）の磁石１７および磁石１７よりも径大な座金１９が、所定の角範囲（本例では９０度）に亘って回転中心を囲んだ円中にそれぞれ配置されている。
【００２０】
即ち、図１乃至図３に示すように、蓋体１４の裏面には、磁石１７及び磁石１７の磁力を増す座金１９を所定位置に位置決めする収納部１８がそれぞれ形成されている。なお、収納部１８は、磁石１７及び座金１９に対応するようそれぞれ異なる径または同一径などとしても良い。コイン状の磁石１７及び座金１９は、筐体１３の中心から所定間隔に形成された収納部１８へ挿入（固定）されている。磁石１７は、永久磁石としてフェライト磁石でも良いが、希土類永久磁石たとえばNd-Fe-B系永久磁石（ネオジム磁石など）が最適である。本実施例において、磁石１７を回転中心ではなく、回転中心を囲んで４箇所に配置したのは、吸引力にむらが生じなくするためである。なお、磁石１７及び座金１９（図２の破線参照）は、蓋体１３で抜け止め（固定）されている。
【００２１】
図１に示すように、筐体１３には、その表面１３Ｂ（「対向面」と同義）に円形の清掃部材１５（図３参照）が、接着剤などで貼付されている。図４に示すように、清掃部材１５は、繊維を製編織した基材（「製織基布」の同義）１５Ａ及びこの基材１５Ａに植毛（植設）したような複数本のループ毛１５Ｂの柔軟な製織面フアスナーを用いる。即ち、ループ毛１５Ｂは、例えばポリエステル、ポリオレフイン等の合成樹脂製フィラメント糸をループ状に成形する。本実施例では、ループ毛１５Ｂと被清掃面Ｗ１との摩擦力が皮革等に比べて小さいので、走行（回転）が円滑となる。
【００２２】
（従動側清掃体に関する構成）
従動側清掃体２０は、駆動側清掃体１２の回転に従動して被清掃面Ｗ２を清掃する。この清掃体２０は、アクリル等の合成樹脂製の筐体２２及びその筐体２２の開放口を閉止する蓋体２３を備える。図１及び図５に示すように、筐体２２の表面２２Ａ（即ち被清掃面に対向する対向面Ｗ２）側には、矩形状の錆びない刃部材３８が、筐体２２の径方向に沿って配置されている。
【００２３】
この刃部材３８は、いわゆる防錆製の金属（例えばステンレス又はAlなど）製または硬質の合成樹脂（例えばアクリルＡＢＳなど）製のプレートで、先端が先細り状となっている。なお、刃部材３８の先端は、その断面がコ字状または半円状など苔などを擦り落とし出来ればいかなる形状でも良い。また、筐体２２には、刃部材３８を固定する溝２２Ｂが、表面２２Ａに対してコ字状に凹設すなわち水槽Ｗの被清掃面Ｗ２に対し刃部材３８が面接触するよう筐体２２の径方向に沿って形成されている。そして、刃部材３８は、溝２２Ａに対して着脱可能に圧入される。
【００２４】
更に、図６に示すように、筐体２２の裏面には、磁石２８及び磁石２８の磁力を増す座金３２を所定位置に位置決めする収納部３０がそれぞれ形成されている。そして、筐体２２には、図５及び図６に示すように、その裏面に複数（本例では４個）の磁石２８及び座金３２が、所定の角範囲（本例では９０度）に亘ってそれぞれ配置されている。即ち、複数の磁石２８は、駆動側清掃体１２の磁石１７に対応してそれぞれ配置している。
【００２５】
なお、上述したように、磁石２８を回転中心ではなく、回転中心を囲んで所定間隔で各々配置したのは、吸引力にむらが生じなくし、従動側清掃体２０の追随回転（「従動」と同義）を確実かつ円滑とするためである。また、磁石２８及び座金３２は、蓋体２２で抜け止め（固定）されている。ここで、磁石５２に関する構成は、駆動側清掃体１２の磁石１７に関する構成と同様であるので、詳細説明は省略する。
【００２６】
図１に示すように、筐体２２には、その表面２２Ａに略半円形の清掃部材２４（図７参照）が、溝２２Ｂを挟んだ状態で接着剤などによってそれぞれ貼付されている。図７に示すように、清掃部材２４は、合成樹脂の基材２５及びこの基材２５に植毛したような複数本の樹立毛（以下単に「毛」ともいう）２６を備える。これらの樹立毛２６は支柱状たとえば円柱状などに成形しており、その毛先には補強された補強部２６Ａが形成されている。
【００２７】
補強部２６Ａは、フック状または膨頭状などとなっており、硬質（上述した製織面フアスナーのループ毛１５Ｂと比較して硬質）となっている成型面フアスナーを用いる。即ち、基材２５及び樹立毛２６は、ポリエステル、ポリアミド、ポリオレフイン、塩化ビニル系重合体、ポリウレタンなどの熱可塑性で可撓性重合体を溶融成型あるいはモールド成型している。
【００２８】
即ち、補強部２６Ａを含む樹立毛２６（清掃部材２４）は、市販のブラシ又はタワシ等に比べて、強靭に一体形成されている。即ち、本実施例では、樹立毛２６と被清掃面Ｗ２との摩擦力が皮革等に比べて小さいので、走行（回転）が円滑となる。更に、図１及び図６に示すように、刃部材３８は、その先端が樹立毛２６の毛先と略同一または毛先よりも若干だけ（例えば０〜５ｍｍ程度）突出するように配置されている。その他の構成は、図１及び図２に示す駆動側清掃体１２と同様であるので、詳細説明は省略する。なお、清掃体１２・２０は、単体で成型した筐体と、この筐体の収納部に収納された磁石を押え込む蓋とで構成しても良い。また、この筐体は、その内部に例えば空洞を設けても良い。
【００２９】
（本実施例の作用）
図１に示す水槽Ｗの内面（具体的には被清掃面Ｗ２）に苔等が強固に付着しているとユーザが判断する場合には、刃部材３８を従動側清掃体２０の図６に示す溝２２Ａへ装着（具体的には圧入）する。一方、刃部材３８が必要ない場合には、刃部材３８を溝２２Ａへ装着することなく又は装着済みの刃部材３８を取外し、樹立毛２６のみで清掃する。即ち、本実施形態では、ユーザが被清掃面Ｗ２（またはＷ１）の汚れ具合を勘案し、任意に刃部材３８の有無を選択し得る。
【００３０】
以下、図１に示すように、刃部材３８を従動側清掃体２０へ装着する場合について説明する。先ず、例えば図１に示す駆動側清掃体１２には、予め図示しない電動モータの出力軸Ｓ（図１の２点鎖線参照）を、連結軸アダプタ３６及び孔１３Ａに連結させる。次に、駆動側清掃体１２は、その清掃部材１５の対向面側を水槽Ｗ外の被清掃面Ｗ１に対向させる。また、従動側清掃体２０は、その清掃部材２４の対向面側（刃部材３８の刃先側）を水槽Ｗ内の被清掃面Ｗ２に対向させる。
【００３１】
そして、それらの清掃部材１５及び２４が水槽Ｗの壁を挟んだ対向状態（接触状態）において、磁石１７及び２８同士が磁気的吸引力で対向吸着するように移動（回転など）させる。即ち、図示しない電動モータを駆動させると、連結軸アダプタ３６を介して駆動側清掃体１２は回転（駆動）するので、従動側清掃体２０も従動して回転する。
【００３２】
従って、本実施例においては、磁石１７及び２８を清掃体１２及び２０の回転中心ではなく、回転中心を囲んだ円中にそれぞれ配置したので、吸引力にむらが生ずることがなく、従動側清掃体２０の従動が確実かつ円滑となる。また、図１に示すように、従動側清掃体２０は刃部材３８の刃先を支点として傾きならが回転し、最終的には全体を隈なく清掃し得る。なお、刃先が樹立毛２６から突出しない場合には、樹立毛２６全体が被清掃面Ｗ２に対して均等に当接する状態となる。
【００３３】
また、本実施例では、たとえ磁石１７及び２８同士の磁気的吸引力が強すぎても、清掃部材１５及び２４がループ毛１５Ｂ（図４参照）及び樹立毛２６となっているので、樹立毛２６が撓った状態（圧接状態）で被清掃面Ｗ２上を円滑に走行し得、簡易な構成で被清掃面の両面を同時に清掃でき且つ操作性も良好となる。更に、本実施例によれば、上述した清掃部材２４の他に、刃部材３８も水槽Ｗ内の被清掃面Ｗ２に面接触している状態で回転運動するので、当たりが均一となり、水槽Ｗを傷つけることなく例えば時間経過で強固に水槽内壁面に付着した苔等を擦り落とすことができる。
【００３４】
更に、従動側清掃体２０は、その刃部材３８が水槽Ｗ内の被清掃面Ｗ２に面接触している状態で回転運動するので、当たりが均一となる。即ち、刃部材３８は、被清掃面Ｗ２に対し当たりが平均化するので、その刃先が部分的に接触することない。そのため、本実施例では、水槽Ｗを傷つけることなく、例えば時間経過で強固に水槽内壁面に付着した苔等を擦り落とすことがし得る。
【００３５】
この場合、刃部材３８の径方向長さ（例えば、６０〜１５０ｍｍ前後）及び図示しない電動モータの無負荷回転数（例えば毎分１８０前後）並びに１組の磁石（座金をも含む概念）が密着して吸着している場合に引き離すのに必要な吸着力（例えば５〜１１ｋｇｆ前後）などのバランスが考慮される。更に、本実施例では、図４及び図７に示す清掃部材１５及び２４のループ毛１５Ｂ及び樹立毛２６並びに刃部材３８（図１参照）が、水槽Ｗの壁両面（被清掃面Ｗ１及びＷ２）を同時に清掃する。
【００３６】
具体的には、図６に示す従動側清掃体２０の清掃部材２４が、ブラシ又はタワシ等に比べて、刃部材３８及び強靭な複数の樹立毛２６（図７参照）並びにその補強部２６Ａとなっているので、被清掃面Ｗ２に付着している苔などを迅速かつ確実に擦り落とし得る。最後に、清掃終了後など駆動側清掃体１２を被清掃面Ｗ１から離間させると、清掃体１２及び２０同士が離間する。そのため、図１に示す磁石１７及び２８同士の磁気的吸引力が解除される。
【００３７】
本実施例によれば、従動側清掃体２０の磁石２８が駆動側清掃体１２の回転中心から所定間隔で配置される磁石１７に対応して配置されるので、従動側清掃体２０は磁石１７及び２８同士の吸引力にむらが生じることなく、駆動側清掃体１２の従動が確実かつ円滑となる。また、本実施例によれば、従動側清掃体２０は被清掃面Ｗ２に対向する対向面２２Ａに刃部材３８及び複数本の毛先が補強された補強部２６Ａを有する合成樹脂の清掃部材２４を備えるので、従動側清掃体２０がタワシ等に比べて毛先が強靭な補強部２６Ａ及び刃部材３８で被清掃面Ｗ２の苔などを確実に擦り落としできる。
【００３８】
なお、本実施例の刃部材３８は、従動側清掃体２０の他に、駆動側清掃体１２にも設けるようにしても良い。本実施例の清掃体２０は、その蓋体２３を例えば曲面ガラスとなる被清掃面に沿って撓うようにしても良い。本実施例の磁石１７及び２８は、例えば回転中心から所定間隔で配置される円状としても良く、または複数箇所は２箇所以上であれば６箇所でも良い。本実施例の清掃体１２及び２０には、それらの磁石１７及び２８に対応する位置に、外部から目視できるよう印（マーク）例えば筐体２２の外周面に刻印などを設けるようにしても良い。
【００３９】
本実施例の清掃部材１５及び２４は、蓋体１４及び２３の表面１４Ａ及び２３Ａに対して交換（着脱）可能としても良い。本発明では、従動側清掃体２０の重量を軽減するため、磁石２８は４箇所にそれぞれ配置するのが好ましく、また座金３２を削除しても良い。本発明では、補強部を有する合成樹脂の清掃部材または合成樹脂製フィラメント糸をループ状に成形した清掃部材を、駆動側清掃体または従動側清掃体に適宜変更して配置させるようにしても良い。例えば、両清掃体には、補強部を有する合成樹脂の清掃部材を、それぞれ配置させるなどしても良い。
【符号の説明】
【００４０】
１０…清掃装置、１２…駆動側清掃体、１３Ａ…連結孔（連結部）、１５…清掃部材、１５Ａ…ループ毛、１７…磁石、２０…従動側清掃体、２２Ａ…蓋体の表面（対向面）、２４…清掃部材、２６…樹立毛（毛）、２６Ａ…補強部、２８…磁石、３８…刃部材、Ｓ…電動モータの出力軸（駆動手段）、Ｗ…水槽、Ｗ１（Ｗ２）…水槽の面（被清掃面）
【図１】
0003197467.tif 000003
【図２】
0003197467.tif 000004
【図３】
0003197467.tif 000005
【図４】
0003197467.tif 000006
【図５】
0003197467.tif 000007
【図６】
0003197467.tif 000008
【図７】
0003197467.tif 000009